(57)【要約】本開示は、端末スクリーンの表示制御方法、装置、および記憶媒体に関するものである。前記端末スクリーンは、一体構造の表示層を含み、前記表示層は、第１表示領域と第２表示領域を含み、第１表示領域の画素密度は、第２表示領域の画素密度より大きく、前記方法は、第１表示領域の中の過渡領域を目標画素密度に応じて表示するように制御するステップと、第１表示領域の中過渡領域以外の他の領域を第１画素密度に応じて表示するように制御するステップと、第２表示領域を第２画素密度に応じて表示するように制御するステップを含み、ここで、目標画素密度は、第１画素密度より小さく且つ第２画素密度より大きい。本開示は、、画素密度が比較的に高い第１表示領域に過渡領域を区画し、第１表示領域と第２表示領域が画素密度が異なることによる表示効果の違いを効果的に隠すことができ、両者の表示効果の融合性を向上させ、端末スクリーンの全体表示効果が優れる。【選択図】図３
2021523390.tif 000002
【特許請求の範囲】
【請求項１】
端末スクリーンの表示制御方法において、前記端末スクリーンは、一体構造の表示層を含み、前記表示層は、第１表示領域と第２表示領域を含み、前記第１表示領域の画素密度は、前記第２表示領域の画素密度より大きく、
前記方法は、
前記第１表示領域の中の過渡領域を目標画素密度に応じて表示するように制御するステップと、
前記第１表示領域の中の前記過渡領域以外の他の領域を第１画素密度に応じて表示するように制御するステップと、
前記第２表示領域を第２画素密度に応じて表示するように制御するステップと、を含み、
前記過渡領域は、前記第１表示領域の中の前記第２表示領域と隣接する隣接領域であり、
ここで、前記目標画素密度は、前記第１画素密度より小さく且つ前記第２画素密度より大きいことを特徴とする端末スクリーンの表示制御方法。
【請求項２】
前記第１表示領域の中の過渡領域を目標画素密度に応じて表示するように制御するステップは、
前記過渡領域の中のｎ個の画素が表示されないように制御するステップを含み、
前記ｎは１より大きい整数であることを特徴とする請求項１に記載の方法。
【請求項３】
前記ｎ個の画素は、前記過渡領域に均一に分布されることを特徴とする請求項２に記載の方法。
【請求項４】
前記過渡領域は、ｋ個のサブ領域を含み、前記ｋ個のサブ領域と前記第２表示領域との間の距離はますます大きくなり、前記ｋは１より大きい整数であり、
前記第１表示領域の中の過渡領域を目標画素密度に応じて表示するように制御するステップは、
前記ｋ個のサブ領域を異なる画素密度に応じて表示するように制御するステップを含み、
ここで、前記ｋ個のサブ領域の中のｉ番目のサブ領域の画素密度は、ｉ＋１番目のサブ領域の画素密度より小さく、前記ｉは、前記ｋより小さい正の整数であることを特徴とする請求項１に記載の方法。
【請求項５】
前記第２表示領域は、前記第１表示領域の側エッジに形成されるギャップに位置し、
または、
前記第２表示領域は、前記第１表示領域の中間に形成されるギャップに位置することを特徴とする請求項１から請求項４の何れか一項に記載の方法。
【請求項６】
前記の方法は、
前記第１表示領域に表示される内容と前記第２表示領域に表示される内容との間の差の程度に基づいて、前記過渡領域の大きさを決定するステップをさらに含み、
ここで、前記過渡領域の大きさと前記差の程度は、正の相関関係を有することを特徴とする請求項１から請求項４の何れか一項に記載の方法。
【請求項７】
端末スクリーンの表示制御装置において、前記端末スクリーンは、一体構造の表示層を含み、前記表示層は、第１表示領域と第２表示領域を含み、前記第１表示領域の画素密度は、前記第２表示領域の画素密度より大きく、
前記装置は、
前記第１表示領域の中の過渡領域を目標画素密度に応じて表示するように制御する第１制御モジュールと、ここで、前記過渡領域は、前記第１表示領域の中の前記第２表示領域と隣接する隣接領域である、
前記第１表示領域の中の前記過渡領域以外の他の領域を第１画素密度に応じて表示するように制御する第２制御モジュールと、
前記第２表示領域を第２画素密度に応じて表示するように制御する第３制御モジュールと、を含み、
ここで、前記目標画素密度は、前記第１画素密度より小さく且つ前記第２画素密度より大きいことを特徴とする端末スクリーンの表示制御装置。
【請求項８】
前記第１制御モジュールは、前記過渡領域の中のｎ個の画素が表示されないように制御し、前記ｎは１より大きい整数であることを特徴とする請求項７に記載の装置。
【請求項９】
前記ｎ個の画素は、前記過渡領域に均一に分布されることを特徴とする請求項８に記載の装置。
【請求項１０】
前記過渡領域は、ｋ個のサブ領域を含み、前記ｋ個のサブ領域と前記第２表示領域との間の距離はますます大きくなり、前記ｋは１以上の整数であり、
前記第１制御モジュールは、前記ｋ個のサブ領域を異なる画素密度に応じて表示するように制御し、ここで、前記ｋ個のサブ領域の中のｉ番目のサブ領域の画素密度は、ｉ＋１番目のサブ領域の画素密度より小さく、前記ｉは、前記ｋより小さい正の整数であることを特徴とする請求項７に記載の装置。
【請求項１１】
前記第２表示領域は、前記第１表示領域の側エッジに形成されるギャップに位置し、
または、
前記第２表示領域は、前記第１表示領域の中間に形成されるギャップに位置することを特徴とする請求項７から請求項１０の何れか一項に記載の装置。
【請求項１２】
前記装置は、
前記第１表示領域に表示される内容と前記第２表示領域に表示される内容との間の差の程度に基づいて、前記過渡領域の大きさを決定する過渡領域確定モジュールをさらに含み、
ここで、前記過渡領域の大きさと前記差の程度は、正の相関関係を有することを特徴とする請求項７から請求項１０の何れか一項に記載の装置。
【請求項１３】
端末スクリーンの表示制御装置において、前記端末スクリーンは、一体構造の表示層を含み、前記表示層は、第１表示領域と第２表示領域を含み、前記第１表示領域の画素密度は、前記第２表示領域の画素密度より大きく、
前記装置は、
プロセッサーと、
前記プロセッサーの実行可能な命令を格納するメモリと、を含み、
ここで、前記プロセッサーは、
前記第１表示領域の中の過渡領域を目標画素密度に応じて表示するように制御し、前記過渡領域は、前記第１表示領域の中の前記第２表示領域と隣接する隣接領域であり、
前記第１表示領域の中の前記過渡領域以外の他の領域を第１画素密度に応じて表示するように制御し、
前記第２表示領域を第２画素密度に応じて表示するように制御し、
ここで、前記目標画素密度は、前記第１画素密度より小さく且つ前記第２画素密度より大きくなるように配置されることを特徴とする端末スクリーンの表示制御装置。
【請求項１４】
非一時的なコンピュータ読み取り可能な記憶媒体において、前記記憶媒体には、コンピュータプログラムを格納し、前記コンピュータプログラムは、プロセッサーによって実行されるとき請求項１から請求項６のいずれか一項の方法のステップを実現することを特徴とする非一時的なコンピュータ読み取り可能な記憶媒体。
【発明の詳細な説明】
【技術分野】
【０００１】
本願は２０１９年４月１７日に提出した中国専利出願２０１９１０３０９１３６．３号の優先権を主張し、上記中国専利出願全ての内容を本願に引用して参考とする。
本公開の実施例は、ディスプレイ技術の分野に関するものであり、特に、端末スクリーンの表示制御方法、装置、および記憶媒体に関するものである。
【背景技術】
【０００２】
携帯電話業界でのアスペクト比の要求がますます高まっており、ほぼ１００％に近いアスペクト比の携帯電話を希望している。
【０００３】
携帯電話のアスペクト比を向上させることについて難しい点は、携帯のフロントパネルの機能部材（例えば、カメラ、イヤホン、光センサー、距離センサー、指紋センサーなどの部材）をどのように合理的に設置してアスペクト比を最大化するかである。関連技術では、上記機能性部材を携帯電話画面の下方に設置する技術思想を提供している。上記機能性部材を携帯電話画面の下方に設置することにより、これらの機能部材が携帯電話のフロントパネルに占めるスペースを減少させてアスペクト比を向上させることができる。
【０００４】
これらの機能性部材を端末スクリーンの下方に設置した後、正常に動作することを確保するために、端末スクリーンは、２つの異なる表示領域を含むように設計する。例えば、第１表示領域と第２表示領域、ここで、前記機能性部材は、第２表示領域の下方に備えられ、第２表示領域と第１表示領域は、異なる製造属性（画素密度、投光性能などを含む）を有している。例えば、第２表示領域の画素密度は、第１表示領域の画素密度よりも小さくして、第２表示領域の投光性能が第１表示領域の投光性能よりも優れるようにして、これにより、カメラ、光センサーなど光学部材がスクリーンの下側に備えたときに正常に動作するようにすることができる。
【０００５】
しかし、端末スクリーンの第１表示領域と第２表示領域が異なる製造属性を持っているので、両者の表示効果も一定の差が存在することになり、これにより全体のスクリーンの表示効果が融合且つ統一的でない。
【発明の概要】
【発明が解決しようとする課題】
【０００６】
本公開の実施例は、端末スクリーンの表示制御方法、装置、および記憶媒体を提供する。
【課題を解決するための手段】
【０００７】
上記の技術方案は以下の通りである。
本公開の実施例の第１方面によると、端末スクリーンの表示制御方法において、前記端末スクリーンは、一体構造の表示層を含み、前記表示層は、第１表示領域と第２表示領域を含み、前記第１表示領域の画素密度は、前記第２表示領域の画素密度より大きく、
前記方法は、
前記第１表示領域の中の過渡領域  −  前記過渡領域は、前記第１表示領域の中の前記第２表示領域と隣接する隣接領域である  −  を目標画素密度に応じて表示するように制御するステップと、
前記第１表示領域の中の前記過渡領域以外の他の領域を第１画素密度に応じて表示するように制御するステップと、
前記第２表示領域を第２画素密度に応じて表示するように制御するステップと、を含み、
ここで、前記目標画素密度は、前記第１画素密度より小さく且つ前記第２画素密度より大きい。
【０００８】
オプションで、前記第１表示領域の中の過渡領域を目標画素密度に応じて表示するように制御するステップは、
前記過渡領域の中のｎ個の画素が表示されないように制御するステップを含み、
前記ｎは１より大きい整数である。
【０００９】
オプションで、前記ｎ個の画素は、前記過渡領域に均一に分布される。
【００１０】
オプションで、前記過渡領域は、ｋ個のサブ領域を含み、前記ｋ個のサブ領域と前記第２表示領域との間の距離はますます大きくなり、前記ｋは１より大きい整数であり、
前記第１表示領域の中の過渡領域を目標画素密度に応じて表示するように制御するステップは、
前記ｋ個のサブ領域を異なる画素密度に応じて表示するように制御するステップを含み、
ここで、前記ｋ個のサブ領域の中のｉ番目のサブ領域の画素密度は、ｉ＋１番目のサブ領域の画素密度より小さく、前記ｉは、前記ｋより小さい正の整数である。
【００１１】
オプションで、前記第２表示領域は、前記第１表示領域の側エッジに形成されるギャップに位置し、
または、
前記第２表示領域は、前記第１表示領域の中間に形成されるギャップに位置する。
【００１２】
オプションで、前記の方法は、
前記第１表示領域に表示される内容と前記第２表示領域に表示される内容との間の差の程度に基づいて、前記過渡領域の大きさを決定するステップをさらに含み、
ここで、前記過渡領域の大きさと前記差の程度は、正の相関関係を有する。
【００１３】
本公開の実施例の第二方面によると、端末スクリーンの表示制御装置において、前記端末スクリーンは、一体構造の表示層を含み、前記表示層は、第１表示領域と第２表示領域を含み、前記第１表示領域の画素密度は、前記第２表示領域の画素密度より大きく、
前記装置は、
前記第１表示領域の中の過渡領域（前記過渡領域は、前記第１表示領域の中の前記第２表示領域と隣接する隣接領域である）を目標画素密度に応じて表示するように制御する第１制御モジュールと、
前記第１表示領域の中の前記過渡領域以外の他の領域を第１画素密度に応じて表示するように制御する第２制御モジュールと、
前記第２表示領域を第２画素密度に応じて表示するように制御する第３制御モジュールと、を含み、
ここで、前記目標画素密度は、前記第１画素密度より小さく且つ前記第２画素密度より大きい。
【００１４】
オプションで、前記第１制御モジュールは、前記過渡領域の中のｎ個の画素が表示されないように制御し、前記ｎは１より大きい整数である。
【００１５】
オプションで、前記ｎ個の画素は、前記過渡領域に均一に分布される。
【００１６】
オプションで、前記過渡領域は、ｋ個のサブ領域を含み、前記ｋ個のサブ領域と前記第２表示領域との間の距離はますます大きくなり、前記ｋは１より大きい整数であり、
前記第１制御モジュールは、前記ｋ個のサブ領域を異なる画素密度に応じて表示するように制御し、ここで、前記ｋ個のサブ領域の中のｉ番目のサブ領域の画素密度は、ｉ＋１番目のサブ領域の画素密度より小さく、前記ｉは、前記ｋより小さい正の整数である。
【００１７】
オプションで、前記第２表示領域は、前記第１表示領域の側エッジに形成されるギャップに位置し、
または、
前記第２表示領域は、前記第１表示領域の中間に形成されるギャップに位置する。
【００１８】
オプションで、前記装置は、
前記第１表示領域に表示される内容と前記第２表示領域に表示される内容との間の差の程度に基づいて、前記過渡領域の大きさを決定する過渡領域確定モジュールをさらに含み、
ここで、前記過渡領域の大きさと前記差の程度は、正の相関関係を有する。
【００１９】
本公開の実施例の第三方面によると、端末スクリーンの表示制御装置において、前記端末スクリーンは、一体構造の表示層を含み、前記表示層は、第１表示領域と第２表示領域を含み、前記第１表示領域の画素密度は、前記第２表示領域の画素密度より大きく、
前記装置は、
プロセッサーと、
前記プロセッサーの実行可能な命令を格納するメモリと、を含み、
ここで、前記プロセッサーは、
前記第１表示領域の中の過渡領域を目標画素密度に応じて表示するように制御し、前記過渡領域は、前記第１表示領域の中の前記第２表示領域と隣接する隣接領域であり、
前記第１表示領域の中の前記過渡領域以外の他の領域を第１画素密度に応じて表示するように制御し、
前記第２表示領域を第２画素密度に応じて表示するように制御し、
ここで、前記目標画素密度は、前記第１画素密度より小さく且つ前記第２画素密度より大きくなるように配置される。
【００２０】
本公開の実施例の第四方面によると、非一時的なコンピュータ読み取り可能な記憶媒体において、前記記憶媒体には、コンピュータプログラムを格納し、前記コンピュータプログラムは、プロセッサーによって実行されるとき第一方面の方法のステップを実現する。
【００２１】
本公開の実施例の技術案は、次のような有益な技術効果を含むことができる。
画素密度が比較的に高い第１表示領域に過渡領域を区画し、前記過渡領域、第１表示領域の中の前記過渡領域以外の他の領域、第２表示領域を、それぞれ目標画素密度、第１画素密度及び第２画素密度に応じて表示するように制御し、ここで、目標画素密度が第１画素密度より小さく且つ第２画素密度より大きいことにより、第１表示領域と第２表示領域が画素密度が異なるによる表示効果の違いが効果的隠すことができ、両者の表示効果の融合性を向上させ、端末スクリーンの全体表示効果が優れる。
【００２２】
理解するのは、上記の一般的な説明と後述する詳細な説明は、単に例示的で解釈的なものであり、本開示を限定するものではない。
【図面の簡単な説明】
【００２３】
ここの図面は、明細書に併合されて明細書の一部を構成し、本発明に合致する実施例を示し、明細書と一緒に本発明の原理を解釈する。
【図１】一例示的な実施形態による端末スクリーンの構造例示図である。
【図２】第１表示領域と第２表示領域の画素密度の差を示す例示図である。
【図３】一例示的な実施形態による端末スクリーンの表示制御方法のフローチャートである。
【図４】過渡領域の例示図である。
【図５】第１表示領域と第２表示領域との間のいくつかの位置関係を例示的に示す例示図である。
【図６】いくつかのサブ領域の中心画素点を例示的に示す例示図である。
【図７】いくつかの第２表示領域の中心画素点を例示的に示す例示図である。
【図８】他のいくつかの種類の過渡領域の例示図である。
【図９】一例示的な実施形態による端末スクリーンの表示制御装置のブロック図である。
【図１０】別の一例示的な実施形態による端末スクリーンの表示制御装置のブロック図である。
【図１１】別の一例示的な実施形態による端末スクリーンの表示制御装置のブロック図である。
【発明を実施するための形態】
【００２４】
以下、例示的な実施例について詳細に説明し、その実例は図面に表わす。下記の説明において、図面に関する説明に対して別々のことを表わさない場合、異なる図面で表わす同じ数字は同一または類似するの要素を表わす。下記の例示的な実施例で説明している実施方式は、本開示と一致するすべての実施方式を代表するものではない。逆に、これらは添付されている請求の範囲に記載される本開示の一方面と一致する装置および方法の一例にすぎない。
【００２５】
本公開の技術方案について説明する前に、まず本公開の端末スクリーンについて説明する。図１に示されたように、前記端末スクリーンは、一体に構成された表示層２０を含み、前記表示層２０は、第１表示領域２１と第２表示領域２２を含む。第１表示領域２１の画素密度は、第２表示領域２２の画素密度よりも大きい。
【００２６】
表示層２０は、端末スクリーンの表示機能を実現する。第１表示領域２１と第２表示領域２２は、すべて表示機能を有する。第２表示領域２２の量は、１個であることができ、複数個であることもできる。図１に、第２表示領域２２の数量が一つの例で説明する。
【００２７】
本公開の実施例において、表示層２０は、第１表示領域２１と第２表示領域２２のタイプが異なる２つの表示領域である。しかし、第１表示領域２１と第２表示領域２２は、物理的な構造の統一した一つの全体である。すなわち、表示層２０は、複数の互いに独立した構成部分に分けられない一体化構造である。表示層２０には、接続されている間隔が存在しない。
【００２８】
もし表示層２０が複数の互いに独立した構成部分を含み、また、これらの構成部分を接続して表示層２０を形成する場合は、接続されている位置に一定の間隔が存在し、最終的には、各構成部分の表示内容の間には間隔が存在するので、全体の表示層２０の表示内容が一体化されている感じを与えることができず、間隔がない表示効果を得ることができなくなる。
【００２９】
しかし、本開示の実施例において、表示層２０は、一体化構造のため、表示層２０には、接続間隔が存在しない。したがって、第１表示領域２１の表示内容と第２表示領域２２の表示内容との間には、間隔が存在しないので、全体の表示層２０の表示内容の一体感を与えることができ、間隔がない表示効果を得ることができる。
【００３０】
本公開の実施例において、第１表示領域２１の画素密度は、第２表示領域２２の画素密度よりも大きい。画素密度は、単位面積内に含まれる画素（またはサブ画素）の量を指し、画素密度は解像度や画面の解像度も指す。画素密度は、一般的にｐｐｉ（ｐｉｘｅｌｓ  ｐｅｒ  ｉｎｃｈ、一インチの画素数）を使用して表示される。その他の可能な実施例では、画素密度はｐｐｃ（ｐｉｘｅｌｓ  ｐｅｒ  ｃｅｎｔｉｍｅｔｅｒ、一センチメートルの画素数）を使用して表示されることもできる。例えば、第１表示領域２１の画素密度は４００ｐｐｉであり、第２表示領域２２の画素密度は２００ｐｐｉである。
【００３１】
例示的に、図２に示すように、第１表示領域２１の画素密度は、第２表示領域２２の画素密度よりも大きい。例えば、第１表示領域２１の画素密度は、第２表示領域２２の画素密度の２倍、３倍、１．６倍、または他の任意の１よりも大きい倍数であることができ、本公開の実施例は、これに対して限定しない。一方、第１表示領域２１と第２表示領域２２との間の位置関係は次の任意の一種を含むことができますが、これに限定しない。上記の任意の一種は、第２表示領域２２の左右両側にすべて第１表示領域２１が備えたり、第２表示領域２２の上下左右各側の両方に第１表示領域２１が備えたり、第２表示領域２２の右側のみまたは左側のみ第１表示領域２１が備えたり、第２表示領域２２の左右両側と下方に第１表示領域２１が備える等を含むことができる。
【００３２】
第１表示領域２１の画素密度が第２表示領域２２の画素密度よりも大きいので、第２表示領域２２の投光性能は、第１表示領域２１の投光性能よりも優れる。第２表示領域２２の下方には、光学部材が備えられることができる。光学部材は、動作時の光を受信および／または送信する機能部材であることができ、例えば、カメラ、光センサー、距離センサー、赤外線発射装置、赤外線受信装置などの部材であることができる。
【００３３】
本公開の実施例において、第２表示領域２２の切断面の形状について限定しない。その切断面は、例えば、正方形、円角長方形、円形など規則的な形状であるか、水滴形状、円形円弧などの非規則的な形状であることができる。一方、本公開の実施例において、第２表示領域２２の大きさについても限定しない。その大きさは、実際の必要に応じて（例えば、第２表示領域２２の下方に備えられる機能性部材を設置する必要）設計することができる。例示的に、第２表示領域２２は、３ｍｍ×２ｍｍの長方形の領域であることができ、これは４８×３２個の画素を含むことができる。
【００３４】
オプションで、端末スクリーンは規則的な形状を形成する。上記規則的な形状は、正方形、円角正方形、円形のいずれかの一つを含むことができる。もちろん、その他の可能な実施例において、端末スクリーンは、非規則的な形状を形成することもできるが、本開示は、これについて限定しない。
【００３５】
一方、図１に示すように、端末スクリーンは、基板１０を含むことができ、表示層２０が基板１０に備えられる。基板１０は、第１表示領域２１の下方に位置する第１基板領域と第２表示領域２２の下方に位置する第２基板の領域を含むことができる。ここで、第１表示領域２１は、基板１０の投影領域である第１基板の領域であり、第２表示領域２２は、基板１０の投影領域である第２基板領域である。基板１０は、表示層２０を支持することができる。
【００３６】
一方、本公開の実施例の端末スクリーンには、開口が存在しない。そして、第１表示領域２１には、開口が存在せず、第２表示領域２２にも開口が存在しない。カメラ、センサー等の機能性部材は端末スクリーンの下方に備えられることができるので、端末スクリーンに開口を設けてこれらの機能部材を設置する必要がない。そして、第２表示領域２２の投光性能が第１表示領域２１の投光性能よりも優れるので、光学部材を第２表示領域２２の下方に設置することにより、光学部材が正常に動作することができ、端末スクリーンに開口を形成して投光性能を向上させる必要がない。したがって、第１表示領域２１の表示内容は、開口による欠けが発生せず、第２表示領域２２の表示内容も開口による欠けが存在しない。図１に示された端末スクリーンを一例として、第１表示領域２１と第２表示領域２２の組み合わせで形成される全体の表示層２０の切断面の形状は正方形なので、第１表示領域２１の表示内容と第２表示領域２２の表示内容の組み合わせで形成される全体の表示層２０の表示内容も一つの正方形の画面であり、前記長方形の画面には、開口による欠けが存在しなく、間隔も存在しない。
【００３７】
また、端末スクリーンは、上記で説明した基板１０と表示層２０のほかに、タッチ検出層とガラスカバープレートをさらに含むことができる。ここで、タッチ検出層は表示層２０上に備えられることができ、ガラスカバープレートは、タッチ検出層の上に備えられることができる。タッチ検出層は、タッチ検出機能を実行する。例えば、ユーザーが指によるクリック、スライド、プッシュなどの操作を検出することができる。グラスカバープレートは、端末スクリーンを保護することができるので、スクリーンの使用寿命を延長させることができる。
【００３８】
本公開の実施例の端末スクリーンは、ＬＣＤ（Ｌｉｑｕｉｄ  Ｃｒｙｓｔａｌ  Ｄｉｓｐｌａｙ、液晶表示画面）画面であることができ、ＯＬＥＤ（Ｏｒｇａｎｉｃ  Ｌｉｇｈｔ−Ｅｍｉｔｔｉｎｇ  Ｄｉｏｄｅ、有機発光ダイオード）スクリーンであることもできる。端末スクリーンがＯＬＥＤスクリーンである場合、フレキシブルスクリーンであるか、またはフレキシブルスクリーンではないスクリーンであることができる。
【００３９】
一方、一つの端末において、これは、本開示で説明する一つの端末スクリーンを含むことができ、または本開示で説明する複数の端末スクリーンを含むことができ、１つまたは複数の本開示で説明する端末スクリーンと１つまたは複数の既存の端末スクリーンを含むことができる。本公開の実施例は、これについて限定しない。
【００４０】
上記実施例の端末スクリーンは、表示層が画素密度が異なる第１表示領域と第２表示領域を含むので、第１表示領域と第２表示領域の表示効果は違う。例えば、第２表示領域の画素は、ざらざらする感じが大きく、第１表示領域と第２表示領域との間には、境界線が自明である。本公開の実施形態に係る端末スクリーンの表示制御方法は、第１表示領域と第２表示領域との間の表示効果の違いを効果的に隠すことで、両者の表示効果の融合性を向上させ、端末スクリーンの全体表示効果が優れる。
【００４１】
図３は、一例示的な実施形態による端末スクリーンの表示制御方法のフローチャートである。上記の方法は、端末に応用することができる。上記端末は、例えば、携帯電話、タブレット、電子書籍リーダー、マルチメディア放送装置、ウェアラブル機器、車載端末などの電子機器であることができる。端末は、図１の実施例または上記選択的な実施例の携帯電話のスクリーンを含むことができる。上記の方法は、下記のステップを含む（３０１〜２０３）。
【００４２】
ステップ３０１において、第１表示領域の中の過渡領域を目標画素密度に応じて表示するように制御する。
【００４３】
ステップ３０２において、第１表示領域の中の過渡領域以外の他の領域を第１画素密度に応じて表示するように制御する。
【００４４】
ステップ３０３において、第２表示領域を第２画素密度に応じて表示するように制御し、ここで、目標画素密度は、第１画素密度より小さく且つ第２画素密度より大きい。
【００４５】
本公開の実施例において、過渡領域は、第１表示領域の中の第２表示領域と隣接する隣接領域である。例えば、過渡領域に含まれる画素は、第１表示領域の中の第２表示領域との最短距離が既設のしきい値よりも小さい画素である。第１表示領域のいずれか一画素と第２表示領域との最短距離は、上記画素の中心点と第２表示領域の目標点との間の距離であり、ここで、目標点は、第２表示領域の中前記画素の中心点と最も近い点を指す。
【００４６】
オプションで、過渡領域は、第２表示領域を囲む複数の画素を含む。例示的に、図４に示すように、端末スクリーンは、第１表示領域４１と第２表示領域４２を含み、第１表示領域４１中の過渡領域４３は、図４に示されたように、斜線で充填された部分であり、上記過渡領域４３は、第２表示領域４２を囲む。
【００４７】
一方、第２表示領域は、第１表示領域の側エッジに形成されるギャップに位置するか、第１表示領域の中間に形成されるギャップに位置することができる。図５に示すように、第１表示領域と第２表示領域との間のいくつかの位置関係を示している。図５の（ａ）に示すように、第２表示領域５２は、第１表示領域５１の上部エッジに形成されるギャップに位置し、第１表示領域５１の過渡領域５３（斜線で充填された部分）は、第２表示領域５２を囲む。図５の（ｂ）に示すように、第２表示領域５２は、第１表示領域５１の左側エッジに形成されるギャップに位置し、第１表示領域５１の過渡領域５３（斜線で充填された部分）は、第２表示領域５２を囲む。図５の（ｃ）に示すように、第２表示領域５２は、第１表示領域５１の右側エッジに形成されるギャップに位置し、第１表示領域５１の過渡領域５３（斜線で充填された部分）は、第２表示領域５２を囲む。図５の（ｄ）に示すように、第２表示領域５２は、第１表示領域５１の底部エッジに形成されるギャップに位置し、第１表示領域５１の過渡領域５３（斜線で充填された部分）は、第２表示領域５２を囲む。図５の（ｅ）に示すように、第２表示領域５２は、第１表示領域５１の中間に形成されるギャップに位置し、第１表示領域５１の過渡領域５３（斜線で充填された部分）は、第２表示領域５２を囲む。
【００４８】
本公開の実施例において、画素密度が比較的に高い第１表示領域に過渡領域を区画することにより、上記の過渡領域、第１表示領域の中の前記過渡領域以外の他の領域、第２表示領域を、それぞれ目標画素密度、第１画素密度及び第２画素密度に応じて表示するように制御する。ここで、目標画素密度は、第１画素密度より小さく且つ第２画素密度より大きい。例えば、第１画素密度は４００ｐｐｉであり、第２画素密度は２００ｐｐｉであり、目標画素密度は３００ｐｐｉであることができる。これにより、第１表示領域と第２表示領域が画素密度が異なるによる表示効果の違いを効果的に隠すことができ、両者の表示効果の融合性を向上させ、端末スクリーンの全体表示効果が優れる。
【００４９】
例示的な実施形態では、過渡領域の中で、各サブ領域の画素密度は同一であり、すべてが目標画素密度である。オプションで、目標画素密度は、第１画素密度と第２画素密度の平均値である。
【００５０】
実施可能な実施例において、端末は、過渡領域の中でのｎ個の画素が表示されないように制御することにより、上記の過渡領域が目標画素密度に応じて表示するようにすることができる。ｎは１より大きい整数である。例えば、いずれかの画素に電流を通過しないことにして、画素が表示されないようにすることができる。また、例えば、上記画素のＲＧＢ値を０にすることにして、画素が表示されないようにすることができる。オプションで、ｎ個の画素は、過渡領域に均一に分布することができる。例えば、第１表示領域の画素密度は４００ｐｐｉであり、第２表示領域の画素密度は２００ｐｐｉであり、そして、過渡領域を３００ｐｐｉに応じて表示する場合には、過渡領域のいずれの４つの画素ごとに１つの画素をオフさせることができる。過渡領域のいずれの部分の画素を表示しないので、過渡領域のスクリーン解像度を低下させる目的を達することができ、第１表示領域と第２表示領域との間の画素密度の差がよりスムーズになることができる。
【００５１】
例示的な実施形態において、過渡領域は、ｋ個のサブ領域を含むことができる。上記ｋ個のサブ領域と第２表示領域との間の距離はますます大きくなる。Ｋは１より大きい整数である。過渡領域の一つのサブ領域は、過渡領域の中の一部の領域である。上記サブ領域の大きさは、過渡領域の大きさより小さい。上記サブ領域は、前記過渡領域に位置する。一方、サブ領域と第２表示領域との間の距離は、上記サブ領域の中心画素点と第２表示領域の中心画素点との間の距離を指す。
【００５２】
サブ領域の中心画素点は、上記サブ領域の中間に位置する画素点である。一般的に、サブ領域は、軸対称の図形であり、サブ領域の中心画素点は、上記サブ領域の対称軸と上記サブ領域の端が互いに交差して形成される線分の中心点である。例えば、図６の（ａ）に示すように、上記サブ領域が長方形である場合、対称軸Ｌと上記サブ領域の２つの辺が互いに交差されて線分ＡＢを形成し、線分ＡＢの中心点Ｓが上記サブ領域の中心画素点である。また、例えば、図６の（ｂ）、（ｃ）、（ｄ）に示すように、上記サブ領域が環状または環状のような形状である場合、対称軸Ｌと上記サブ領域のエッジが交差されて線分ＡＢを形成し、線分ＡＢの中心点Ｓが上記サブ領域の中心画素点である。
【００５３】
第２表示領域の中心画素点は、前記第２表示領域の中間に位置する画素点である。一般的に、第２表示領域も軸対称の図形である。第２表示領域の中心画素点は、前記第２表示領域の対称軸と前記第２表示領域の辺が互いに交差して形成される線分の中心点である。例えば、図７の（ａ）に示すように、前記第２表示領域が長方形である場合、対称軸Ｌと前記第２表示領域の２つの辺が互いに交差されて線分ＡＢを形成し、線分ＡＢの中心点Ｓが前記第２表示領域の中心画素点である。また、例えば、図７の（ｂ）に示すように、前記第２表示領域が長方形のような形状である場合、対称軸Ｌと前記第２表示領域の２つの辺が互いに交差されて線分ＡＢを形成して、線分ＡＢの中心点Ｓが前記第２表示領域の中心画素点である。また、例えば、図７の（ｃ）に示すように、第２表示領域が半円または円形カット形状である場合、対称軸Ｌと前記第２表示領域の２つの辺が互いに交差されて線分ＡＢを形成し、線分ＡＢの中心点Ｓが前記第２表示領域の中心画素点である。
【００５４】
オプションで、端末は、上記ｋ個のサブ領域が異なる画素密度に応じて表示するように制御する。ここで、前記ｋ個のサブ領域の中のｉ番目のサブ領域の画素密度は、ｉ＋１番目のサブ領域の画素密度より小さい。ｉはｋより小さい正の整数である。つまり、第２表示領域のサブ領域に近いほど画素密度が小さく、第２表示領域のサブ領域に遠いほど画素密度が大きい。
【００５５】
例えば、図８に示すように、端末スクリーンは、第１表示領域８１及び第２表示領域８２を含む。第１表示領域８１中の過渡領域は、２つのサブ領域を含み、それぞれ図８の第１サブ領域８３ａ（図８の斜線で充填された部分）及び第２サブ領域８３ｂ（図８の黒い点に充填された部分）である。例えば、第１表示領域８１の画素密度が第１画素密度であり、第２表示領域８２の画素密度が第２画素密度の場合、第２画素密度＜第１サブ領域８３ａの画素密度＜第２サブ領域８３ｂの画素密度＜第１画素密度。
【００５６】
上記の方法を介して、過渡領域を複数のサブ領域に区分し、それぞれのサブ領域の画素密度をスムーズに設置して、第２表示領域のサブ領域に近いほど画素密度が小さく、第２表示領域のサブ領域に遠いほど画素密度が大きいことにより、画素密度の変化の平滑性をより向上させ、全体の端末スクリーンの表示効果をさらに自然に融合させることができる。
【００５７】
本公開の実施例において、過渡領域に含まれるサブ領域の数量について限定しない。上記数量は既設された一つの固定的な数値であるか、実際の状況に応じてリアルタイムで確定された一つの非固定的な数値であることができる。上記数量が大きいほど、隣接する領域との間の画素密度の変化が小さいので、隣接する領域との間の表示効果の違いがより小さい。
【００５８】
一方、過渡領域は、大きさが固定された既設された領域であることができ、実際の状況に応じてリアルタイムで確定された大きさが固定ではない領域であることもできる。オプションで、端末は、第１表示領域に表示される内容と第２表示領域に表示される内容との間の差の程度に基づいて、過渡領域の大きさを決定する。ここで、過渡領域の大きさは、上記差の程度と正の相関関係を持つ。
【００５９】
例えば、端末は、上記２つの表示領域に表示される表示内容の明るさおよび／または色の違い程度に基づいて、過渡領域の大きさを決定する。上記差の程度が大きいほど、過渡領域の大きさも大きく、逆に、上記差の程度が小さいほど、過渡領域の大きさが小さい。上記の方法を介して、第１表示領域と第２表示領域の表示効果の違いがよりスムーズになることができる。また、前記過渡領域を複数のサブ領域を区分することにより、第２表示領域のサブ領域に近いほど画素密度が小さく、第２表示領域のサブ領域に遠いほど画素密度が大きくなる方案において、第１表示領域と第２表示領域に表示される内容の違いが比較的に大きいとき、十分な過渡領域を保留して前記差をますます小さくすることができる。
【００６０】
ただし、本公開の実施例において、前記ステップ３０１、３０２、および３０３の実行順序について限定しない。例えば、上記のステップ３０１、３０２、および３０３は、同時に実行することができる。端末スクリーンがいずれかの画面のフレームを表示しようとする場合には、端末は、第１表示領域の中の過渡領域が目標画素密度に応じて前記画面のフレームの中の第１部分領域を表示するように制御し、第１表示領域中の過渡領域以外の他の領域が第１画素密度に応じて前記画面のフレームの中の第２部分領域を表示するように制御し、同時に第２表示領域が第２画素密度に応じて前記画面のフレームの中の第３部分領域を表示するように制御することができる。前記第１部分領域、第２部分領域と第３部分領域は、一つの完全な接続の間隔がない画面のフレームを形成することができる。
【００６１】
一方、端末は、任意の画面のフレームを表示するとき、すべてが上記のステップ３０１−３０３の表示制御方法を使用して端末スクリーンが表示するように制御することができ、または既設の条件を満たしている画面のフレームのみを表示するとき、上記のステップ３０１−３０３の表示制御方法を使用して端末スクリーンが表示するように制御することができる。既設の条件を満たしていない画面のフレームを表示するとき、第１表示領域が第１画素密度に応じて表示するように制御して、第２表示領域が第２画素密度に応じて表示するように制御する。オプションで、前記既設の条件を満たしている画面のフレームは、端末スクリーンの目標領域の中の画面内容が同じ色の画面のフレームであることを示し、上記目標領域は、第２表示領域を含み、大きさが前記第２表示領域より大きい領域を指す。
【００６２】
上記のように、本開示の実施例の技術案において、画素密度が比較的に高い第１表示領域に過渡領域を区画して、上記の過渡領域、第１表示領域の中の前記過渡領域以外の他の領域、第２表示領域をそれぞれ目標画素密度、第１画素密度及び第２画素密度に応じて表示し、ここで、目標画素密度は、第１画素密度より小さく且つ第２画素密度より大きくすることにより、第１表示領域と第２表示領域が画素密度が異なるによる表示効果の違いを効果的に隠すことができ、両者の表示効果の融合性を向上させ、端末スクリーンの全体表示効果が優れる。
【００６３】
一方、過渡領域を複数のサブ領域に区画し、それぞれのサブ領域の画素密度をスムーズに設置し、第２表示領域のサブ領域に近いほど画素密度が小さく、第２表示領域のサブ領域に遠いほど、画素密度が大きくすることで、画素密度の変化の平滑性をより向上させ、全体の端末スクリーンの表示効果をさらに自然に融合することができる。
【００６４】
一方、端末スクリーンの物理的な構造に過渡領域を設計することについて、本公開の実施例は、ソフトウェアにおいて画素密度が比較的に高い第１表示領域に過渡領域を区画し、ソフトウェアを用いて前記過渡領域の画素密度を制御することにより、制御の円滑を向上させることができる。
【００６５】
下記の本公開の装置の実施例において、本開示の方法の実施例を実行することができる。本公開の装置の実施例では公開されていない詳細な説明は、本公開の方法の実施例を参照してください。
【００６６】
図９は、一例示的な実施形態による端末スクリーンの表示制御装置のブロック図である。上記装置は、前記方法の実施例を実行する機能を備える。上記の機能は、ハードウェアによって実現されることができ、ハードウェアは、対応するソフトウェアを実行することにより、実現することができる。上記装置は、前記で説明した端末であることができ、端末に備えられることもできる。端末は、図１の実施例または上記の任意の実施形態の端末スクリーンを含む。図９に示すように、上記装置９００は、第１制御モジュール９１０、第２制御モジュール９２０、第３制御モジュール９３０を含むことができる。
【００６７】
第１制御モジュール９１０は、前記第１表示領域の中の過渡領域を目標画素密度に応じて表示するように制御し、前記過渡領域は、前記第１表示領域の中の前記第２表示領域と隣接する隣接領域であるように配置される。
【００６８】
第２制御モジュール９２０は、前記第１表示領域の中前記過渡領域以外の他の領域を第１画素密度に応じて表示するように制御するように配置される。
【００６９】
第３制御モジュール９３０は、前記第２表示領域を第２画素密度に応じて表示するように制御するように配置される。
【００７０】
ここで、前記目標画素密度は、前記第１画素密度より小さく且つ前記第２画素密度より大きい。
【００７１】
上記のように、本開示の実施例の技術案において、画素密度が比較的に高い第１表示領域に過渡領域を区画し、前記過渡領域、第１表示領域の中の前記過渡領域以外の他の領域、第２表示領域をそれぞれ目標画素密度、第１画素密度及び第２画素密度に応じて表示するように制御し、ここで、目標画素密度が第１画素密度より小さく且つ第２画素密度より大きくすることにより、第１表示領域と第２表示領域が画素密度が異なるによる表示効果の違いが効果的に隠すことができ、両者の表示効果の融合性を向上させ、端末スクリーンの全体表示効果が優れる。
【００７２】
例示的な実施形態において、前記第１制御モジュール９１０は、上記過渡領域の中のｎ個の画素が表示されないように制御し、上記ｎは１より大きい整数であるように配置される。
【００７３】
例示的な実施形態において、前記ｎ個の画素は、前記過渡領域で均一に分布されるように配置される。
【００７４】
例示的な実施形態において、前記過渡領域は、ｋ個のサブ領域を含み、前記ｋ個のサブ領域と前記第２表示領域との間の距離はますます大きくなり、上記ｋは１より大きい整数である。
【００７５】
前記第１制御モジュール９１０は、上記ｋ個のサブ領域を異なる画素密度に応じて表示するように制御し、ここで、前記ｋ個のサブ領域の中のｉ番目のサブ領域の画素密度は、ｉ＋１番目のサブ領域の画素密度より小さく、上記ｉは、上記ｋより小さい正の整数であるように配置される。
【００７６】
例示的な実施形態において、前記第２表示領域は、前記第１表示領域の側エッジに形成されるギャップに位置し、または、前記第２表示領域は、前記第１表示領域の中間に形成されるギャップに位置する。
【００７７】
例示的な実施形態において、図１０に図示されたように、前記装置９００は、過渡領域確定モジュール９４０をさらに含む。
【００７８】
過渡領域確定モジュール９４０は、前記第１表示領域に表示される内容と前記第２表示領域に表示される内容との間の差の程度に基づいて、上記過渡領域の大きさを決定するように配置される。
【００７９】
ここで、前記過渡領域の大きさと上記差の程度は、正の相関関係を持つ。
【００８０】
ただし、上記実施例の装置がその機能を実現するとき、上記各機能モジュールの区分に応じて、例えば説明した。しかし、実際的な応用では、実際の必要性に応じて、上記の機能の分配は、異なる機能モジュールによって完成されることができる。つまり、装置の内容の構造を、さまざまな機能モジュールに区画して、上記で説明したすべてのまたは一部の機能を完成することができる。
【００８１】
上記実施例の装置については、各モジュールの実行操作の具体的な方法は、すでに関連する方法の実施例では詳細に説明したので、その説明を省略する。
【００８２】
本公開一例示的な実施例は、端末スクリーンの表示制御装置を提供して、本開示の端末スクリーンの表示制御方法を実現することができる。上記装置は、前記で説明した端末であることができ、端末に備えられることもできる。端末は、図１の実施例または上記の任意の実施例で提供される端末スクリーンを含む。上記装置は、プロセッサー、およびプロセッサーの実行可能な命令を格納するメモリを含む。
【００８３】
ここで、プロセッサーは、
前記第１表示領域の中の過渡領域を目標画素密度に応じて表示するように制御し、前記過渡領域は、前記第１表示領域の中の前記第２表示領域と隣接する隣接領域であり、
前記第１表示領域の中の前記過渡領域以外の他の領域を第１画素密度に応じて表示するように制御し、
前記第２表示領域を第２画素密度に応じて表示するように制御し、
ここで、前記目標画素密度は、前記第１画素密度より小さく且つ前記第２画素密度より大きくなるように配置される。
【００８４】
例示的な実施形態において、前記プロセッサーは、
上記過渡領域の中のｎ個の画素が表示されないように制御し、上記ｎは１より大きい整数であるように配置される。
【００８５】
例示的な実施形態において、前記ｎ個の画素は、前記過渡領域で均一に分布される。
【００８６】
例示的な実施形態において、前記過渡領域は、ｋ個のサブ領域を含み、前記ｋ個のサブ領域と前記第２表示領域との間の距離はますます大きくなり、上記ｋは１より大きい整数である。
【００８７】
上記プロセッサーは、
上記ｋ個のサブ領域を異なる画素密度に応じて表示するように制御し、ここで、前記ｋ個のサブ領域の中のｉ番目のサブ領域の画素密度は、ｉ＋１番目のサブ領域の画素密度より小さく、上記ｉは前記ｋより小さい正の整数であるように配置される。
【００８８】
例示的な実施形態において、前記第２表示領域は、前記第１表示領域の側エッジに形成されるギャップに位置し、または、前記第２表示領域は、前記第１表示領域の中間に形成されるギャップに位置する。
【００８９】
例示的な実施形態において、前記過渡領域は、前記第２表示領域を囲む複数の画素を含む。
【００９０】
例示的な実施形態において、前記プロセッサーは、
前記第１表示領域に表示される内容と前記第２表示領域に表示される内容との間の差の程度に基づいて、上記過渡領域の大きさを決定し、
ここで、前記過渡領域の大きさと上記差の程度は、正の相関関係を持つように配置される。
【００９１】
図１１は他の例示的実施例に係る端末スクリーンの表示制御装置８００を示すブロック図である。例えば、装置１１００は、携帯電話、コンピュータ、デジタルブロードキャスト端末、メッセージ送受信機、ゲーム機、タブレットデバイス、医療機器、フィットネス機器、ＰＤＡ等のものであってもよい。当該装置１１００は図１の実施例又は上記何れの実施例から提供する端末スクリーンを含む。
【００９２】
図１１を参照すると、装置１１００は、処理ユニット１１０２、メモリ１１０４、電源ユニット１１０６、マルチメディアユニット１１０８、オーディオユニット１１１０、入力／出力（Ｉ／Ｏ）インタフェース１１１２、センサーユニット１１１４、及び通信ユニット１１１６からなる群から選ばれる少なくとも１つを備えてもよい。
【００９３】
処理ユニット１１０２は、一般的には、装置１１００の全体の操作、例えば、表示、電話呼び出し、データ通信、カメラ操作及び記録操作に関連する操作を制御する。処理ユニット１１０２は、上述した方法におけるステップの一部又は全部を実現できるように、命令を実行する少なくとも１つのプロセッサー１１２０を備えてもよい。また、処理ユニット１１０２は、他のユニットとのインタラクションを便利にさせるように、少なくとも１つのモジュールを備えてもよい。例えば、処理ユニット１１０２は、マルチメディアユニット１１０８とのインタラクションを便利にさせるように、マルチメディアモジュールを備えてもよい。
【００９４】
メモリ１１０４は、装置１１００での操作をサポートするように、各種のデータを記憶するように配置される。これらのデータは、例えば、装置１１００で何れのアプリケーション又は方法を操作するための命令、連絡先データ、電話帳データ、メッセージ、画像、ビデオ等を含む。メモリ１１０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【００９５】
電源ユニット１１０６は、装置１１００の各種ユニットに電力を供給するためのものであり、電源管理システム、１つ又は複数の電源、及び装置１１００のために電力を生成、管理及び分配することに関連する他のユニットを備えてもよい。
【００９６】
マルチメディアユニット１１０８は、装置１１００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１１０８は、フロントカメラ及び／又はバックカメラを有してもよい。装置１１００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００９７】
オーディオユニット１１１０は、オーディオ信号を出力及び／又は入力するように配置される。例えば、オーディオユニット１１１０は、マイクロフォン（ＭｉＣ）を有してもよい。装置１１００が、例えば、呼び出しモード、記録モード、又は音声認識モードのような操作モードにあるとき、マイクロフォンは、外部のオーディオ信号を受信するように配置される。受信したオーディオ信号は、メモリ１１０４にさらに記憶されてもよいし、通信ユニット１１１６を介して送信されてもよい。一実施例では、オーディオユニット１１１０は、オーディオ信号を出力するためのスピーカをさらに備えてもよい。
【００９８】
Ｉ／Ｏインタフェース１１１２は、処理ユニット１１０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【００９９】
センサーユニット１１１４は、装置１１００のために各方面の状態を評価する少なくとも１つのセンサーを備えてもよい。例えば、センサーユニット１１１４は、装置１１００のオン／オフ状態や、ユニットの相対的な位置を検出することができる。例えば、前記ユニットは、装置１１００のディスプレイ及びキーパッドである。センサーユニット１１１４は、装置１１００又は装置１１００の１つのユニットの位置の変化や、ユーザが装置１１００に接触しているか否かや、装置１１００の方向又は加速／減速や、装置１１００の温度変化を検出することができる。センサーユニット１１１４は、何れの物理的な接触もない場合に付近の物体を検出するように配置される近接センサーを有してもよい。センサーユニット１１１４は、イメージングアプリケーションに用いるための光センサー、例えば、ＣＭＯＳ又はＣＣＤ画像センサーを有してもよい。一実施例では、当該センサーユニット１１１４は、加速度センサー、ジャイロスコープセンサー、磁気センサー、圧力センサー又は温度センサーをさらに備えてもよい。
通信ユニット１１１６は、装置１１００と他の設備の間との無線又は有線通信を便利にさせるように配置される。装置１１００は、通信標準に基づく無線ネットワーク、例えば、ＷｉＦｉ、２Ｇ、３Ｇ、４Ｇ又は５Ｇ、又はそれらの組み合わせにアクセスできる。１つの例示的な実施例では、通信ユニット１１１６は、ブロードキャストチャンネルを介して外部のブロードキャスト管理システムからのブロードキャスト信号又はブロードキャストに関する情報を受信する。１つの例示的な実施例では、前記通信ユニット１１１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１００】
例示的な実施例では、装置１１００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されて、上記端末スクリーンの表示制御方法を実行する。
【０１０１】
例示的な実施例では、命令を有する非一時的コンピュータ読み取り可能な記録媒体を提供し、上記記録媒体にはコンピュータプログラムを記録する。当該コンピュータプログラムはプロセッサー１１２０により実行されて上述した端末スクリーンの表示制御方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１０２】
理解すべきことは、本文に記載されている「複数個」は、２つまたは２つ以上を指す。「および／または」は、関連対象の関連関係を説明し、これは３つの関係が存在する。例えば、Ａおよび／またはＢは、Ａが単独で存在するか、ＡとＢが同時に存在するか、Ｂが単独で存在する３つの状況を示すことができ、符号「／」は、前後の関連対象が「または」との関係を指す。
【０１０３】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１０４】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2021523390.tif 000003
【図２】
2021523390.tif 000004
【図３】
2021523390.tif 000005
【図４】
2021523390.tif 000006
【図５】
2021523390.tif 000007
【図６】
2021523390.tif 000008
【図７】
2021523390.tif 000009
【図８】
2021523390.tif 000010
【図９】
2021523390.tif 000011
【図１０】
2021523390.tif 000012
【図１１】
2021523390.tif 000013
【手続補正書】
【提出日】令和1年9月26日(2019.9.26)
【手続補正２】
【補正対象書類名】明細書
【補正対象項目名】０００１
【補正方法】変更
【補正の内容】
【０００１】
本願は２０１９年４月１７日に提出した中国専利出願２０１９１０３０９１３６．３号の優先権を主張し、上記中国専利出願全ての内容を本願に引用して参考とする。
本公開の実施例は、ディスプレイ技術の分野に関するものであり、特に、端末スクリーンの表示制御方法、装置、プログラムおよび記憶媒体に関するものである。
【手続補正３】
【補正対象書類名】明細書
【補正対象項目名】０００６
【補正方法】変更
【補正の内容】
【０００６】
本公開の実施例は、端末スクリーンの表示制御方法、装置、プログラムおよび記憶媒体を提供する。
【手続補正４】
【補正対象書類名】特許請求の範囲
【補正対象項目名】全文
【補正方法】変更
【補正の内容】
【特許請求の範囲】
【請求項１】
端末スクリーンの表示制御方法において、前記端末スクリーンは、一体構造の表示層を含み、前記表示層は、第１表示領域と第２表示領域を含み、前記第１表示領域の画素密度は、前記第２表示領域の画素密度より大きく、
前記方法は、
前記第１表示領域の中の過渡領域を目標画素密度に応じて表示するように制御するステップと、
前記第１表示領域の中の前記過渡領域以外の他の領域を第１画素密度に応じて表示するように制御するステップと、
前記第２表示領域を第２画素密度に応じて表示するように制御するステップと、を含み、
前記過渡領域は、前記第１表示領域の中の前記第２表示領域と隣接する隣接領域であり、
ここで、前記目標画素密度は、前記第１画素密度より小さく且つ前記第２画素密度より大きいことを特徴とする端末スクリーンの表示制御方法。
【請求項２】
前記第１表示領域の中の過渡領域を目標画素密度に応じて表示するように制御するステップは、
前記過渡領域の中のｎ個の画素が表示されないように制御するステップを含み、
前記ｎは１より大きい整数であることを特徴とする請求項１に記載の方法。
【請求項３】
前記ｎ個の画素は、前記過渡領域に均一に分布されることを特徴とする請求項２に記載の方法。
【請求項４】
前記過渡領域は、ｋ個のサブ領域を含み、前記ｋ個のサブ領域と前記第２表示領域との間の距離はますます大きくなり、前記ｋは１より大きい整数であり、
前記第１表示領域の中の過渡領域を目標画素密度に応じて表示するように制御するステップは、
前記ｋ個のサブ領域を異なる画素密度に応じて表示するように制御するステップを含み、
ここで、前記ｋ個のサブ領域の中のｉ番目のサブ領域の画素密度は、ｉ＋１番目のサブ領域の画素密度より小さく、前記ｉは、前記ｋより小さい正の整数であることを特徴とする請求項１に記載の方法。
【請求項５】
前記第２表示領域は、前記第１表示領域の側エッジに形成されるギャップに位置し、または、
前記第２表示領域は、前記第１表示領域の中間に形成されるギャップに位置することを特徴とする請求項１から請求項４の何れか一項に記載の方法。
【請求項６】
前記の方法は、
前記第１表示領域に表示される内容と前記第２表示領域に表示される内容との間の差の程度に基づいて、前記過渡領域の大きさを決定するステップをさらに含み、
ここで、前記過渡領域の大きさと前記差の程度は、正の相関関係を有することを特徴とする請求項１から請求項４の何れか一項に記載の方法。
【請求項７】
端末スクリーンの表示制御装置において、前記端末スクリーンは、一体構造の表示層を含み、前記表示層は、第１表示領域と第２表示領域を含み、前記第１表示領域の画素密度は、前記第２表示領域の画素密度より大きく、
前記装置は、
前記第１表示領域の中の過渡領域を目標画素密度に応じて表示するように制御する第１制御モジュールと、ここで、前記過渡領域は、前記第１表示領域の中の前記第２表示領域と隣接する隣接領域である、
前記第１表示領域の中の前記過渡領域以外の他の領域を第１画素密度に応じて表示するように制御する第２制御モジュールと、
前記第２表示領域を第２画素密度に応じて表示するように制御する第３制御モジュールと、を含み、
ここで、前記目標画素密度は、前記第１画素密度より小さく且つ前記第２画素密度より大きいことを特徴とする端末スクリーンの表示制御装置。
【請求項８】
前記第１制御モジュールは、前記過渡領域の中のｎ個の画素が表示されないように制御し、前記ｎは１より大きい整数であることを特徴とする請求項７に記載の装置。
【請求項９】
前記ｎ個の画素は、前記過渡領域に均一に分布されることを特徴とする請求項８に記載の装置。
【請求項１０】
前記過渡領域は、ｋ個のサブ領域を含み、前記ｋ個のサブ領域と前記第２表示領域との間の距離はますます大きくなり、前記ｋは１以上の整数であり、
前記第１制御モジュールは、前記ｋ個のサブ領域を異なる画素密度に応じて表示するように制御し、ここで、前記ｋ個のサブ領域の中のｉ番目のサブ領域の画素密度は、ｉ＋１番目のサブ領域の画素密度より小さく、前記ｉは、前記ｋより小さい正の整数であることを特徴とする請求項７に記載の装置。
【請求項１１】
前記第２表示領域は、前記第１表示領域の側エッジに形成されるギャップに位置し、または、
前記第２表示領域は、前記第１表示領域の中間に形成されるギャップに位置することを特徴とする請求項７から請求項１０の何れか一項に記載の装置。
【請求項１２】
前記装置は、
前記第１表示領域に表示される内容と前記第２表示領域に表示される内容との間の差の程度に基づいて、前記過渡領域の大きさを決定する過渡領域確定モジュールをさらに含み、
ここで、前記過渡領域の大きさと前記差の程度は、正の相関関係を有することを特徴とする請求項７から請求項１０の何れか一項に記載の装置。
【請求項１３】
端末スクリーンの表示制御装置において、前記端末スクリーンは、一体構造の表示層を含み、前記表示層は、第１表示領域と第２表示領域を含み、前記第１表示領域の画素密度は、前記第２表示領域の画素密度より大きく、
前記装置は、
プロセッサーと、
前記プロセッサーの実行可能な命令を格納するメモリと、を含み、
ここで、前記プロセッサーは、
前記第１表示領域の中の過渡領域を目標画素密度に応じて表示するように制御し、前記過渡領域は、前記第１表示領域の中の前記第２表示領域と隣接する隣接領域であり、
前記第１表示領域の中の前記過渡領域以外の他の領域を第１画素密度に応じて表示するように制御し、
前記第２表示領域を第２画素密度に応じて表示するように制御し、
ここで、前記目標画素密度は、前記第１画素密度より小さく且つ前記第２画素密度より大きくなるように配置されることを特徴とする端末スクリーンの表示制御装置。
【請求項１４】
非一時的なコンピュータ読み取り可能な記憶媒体において、前記記憶媒体には、コンピュータプログラムを格納し、前記コンピュータプログラムは、プロセッサーによって実行されるとき請求項１から請求項６のいずれか一項の方法のステップを実現することを特徴とする非一時的なコンピュータ読み取り可能な記憶媒体。
【請求項１５】
プロセッサーに実行されることにより、請求項１から請求項６の何れか１項に記載の端末スクリーンの表示制御方法を実現することを特徴とするプログラム。
【国際調査報告】
2021523390.tif 000014
2021523390.tif 000015
2021523390.tif 000016
2021523390.tif 000017